(57)【要約】      （修正有）【課題】コンベヤケース垂直部の補修塗装を行わないようにして振れ止め装置設置までの工期短縮を図ることができ、コンベヤケース垂直部の任意の位置に振れ止め枠を取り付けることができるコンベヤケース垂直部の振れ止め装置を提供する。【解決手段】コンベヤ装置の外部に設置された支持台の水平フレーム１０に、コンベヤケース垂直部を抱持する振れ止め枠が取り付けられる。振れ止め枠は、剛構造のコ字状枠体１５と、締め付け用のフレーム部材１４ｄとで方形状に形成され、支持台の水平フレーム１０には、コ字状枠体１５のフレーム部材１４ａ，１４ｃが固定され、コ字状枠体１５の内側にあるコンベヤケース垂直部４は、締め付け用のフレーム部材１４ｄがコ字状枠体１５に取付用ボルト１６で締め付け固定されることにより抱持されている。【選択図】図２
2009137667.tif 000002
【特許請求の範囲】
【請求項１】
垂直搬送部を備えたコンベヤ装置の外部に設置された支持台の水平フレームに、コンベヤケース垂直部を抱持して水平方向振れを防止する振れ止め枠が取り付けられたコンベヤケース垂直部の振れ止め装置において、
前記振れ止め枠は、フレーム部材が枠組みされた一側部が開口した剛構造のコ字状枠体と、該コ字状枠体の開口側に取付用ボルトで固定される締め付け用のフレーム部材とで方形状に形成され、
前記支持台を構成する一対の水平フレームには、前記コ字状枠体の対向するそれぞれのフレーム部材が固定され、
前記コ字状枠体の内側にある前記コンベヤケース垂直部は、前記締め付け用のフレーム部材が取付用ボルトで該コ字状枠体に締め付け固定されることにより前記振れ止め枠で抱持されていることを特徴とするコンベヤケース垂直部の振れ止め装置。
【請求項２】
前記支持台を構成する一対の水平フレームには、ねじ穴を有するタップベースがそれぞれ溶接され、該タップベースに前記剛構造のコ字状枠体の対向するそれぞれのフレーム部材が該ねじ穴を介してボルトで固着されていることを特徴とする請求項１記載のコンベヤケース垂直部の振れ止め装置。
【請求項３】
前記剛構造のコ字状枠体を構成する各フレーム部材及び締め付け用のフレーム部材はチャンネル鋼であることを特徴とする請求項１又は２記載のコンベヤケース垂直部の振れ止め装置。
【請求項４】
前記剛構造のコ字状枠体の対向するそれぞれのフレーム部材に、前記コンベヤケース垂直部のフランジに嵌着する凹溝を有する保持プレートが固着されていることを特徴とする請求項１乃至３のいずれかに記載のコンベヤケース垂直部の振れ止め装置。
【発明の詳細な説明】
【技術分野】
【０００１】
本発明は、垂直搬送部を有するコンベヤ装置のコンベヤケース垂直部の水平方向振れを防止するコンベヤケース垂直部の振れ止め装置に関する。
【背景技術】
【０００２】
従来、循環走行するフライトコンベヤが内部に設けられたコンベヤケース内に、ばら物、例えば、米、小麦、大豆、コーヒー豆、食品類、ペレット、その他粉粒体等を下方で投入し、上方の排出側に輸送するコンベヤ装置として、水平搬送部と垂直搬送部を備えているコンベヤ装置が知られている（特許文献１参照。）。また、荷物を担持して搬送するキャリッジを垂直方向に昇降可能とした垂直搬送装置において、キャリッジを垂直方向に昇降可能に誘導する誘導機構の支柱部材に４本のフレームを井桁状に枠組みした振止ユニットを設け、この振止ユニットを建物上階の床面の貫通孔に固定して振れ止めする手段が知られている（特許文献２参照。）。
【特許文献１】特開２００３−２４２５号公報
【特許文献２】実用新案登録第３０７７０８４号公報
【発明の開示】
【発明が解決しようとする課題】
【０００３】
上記の特許文献１に開示されているコンベヤ装置は、垂直搬送部のコンベヤケース垂直部が水平方向の振れを防止する構造になっていないため、稼働中にコンベヤケース垂直部が水平方向に振れる、という問題がある。そこで、特許文献２に開示されている振れ止め手段を、屋外や上方に床面がない屋内に設けられているコンベヤ装置に適用しようとすると、振れ止め枠を固定する床面がないため適用できない、という問題がある。
【０００４】
上記問題に鑑みて、従来は屋外のコンベヤケースの外部に設置した支持台に、該コンベヤケース垂直部に固着した取付金具などで固定して水平方向の振れを防止することが行われていた。この場合、コンベヤケース垂直部に複数の取付金具を予め工場で溶接固定し、この取付金具により屋外に設置されている支持台に固定していた。しかし、通常この取付金具の取付位置の決定が遅れ気味でコンベヤケース製作の最終段階になってしまうため、コンベヤケース垂直部に取付金具を溶接固定するときは既に塗装済みで、溶接でペンキが焼けて補修塗装が必要となり、また、据付現場で位置決めして取付金具を溶接固定するときも補修塗装が必要となり、このため二度手間となって振れ止め装置の設置、ひいてはコンベヤ装置設置までの工期が長引くとともに、外観的にも製品の出来が悪くなる、という問題がある。
【０００５】
そこで、本発明は、従来技術における問題を解決し、屋外や上方に床面がない屋内にコンベヤケース垂直部を有するコンベヤ装置を設置する場合、コンベヤケース垂直部の補修塗装を行わないようにして振れ止め装置設置までの工期短縮を図ることができ、コンベヤケース垂直部の任意の位置に振れ止め枠を取り付けることができるコンベヤケース垂直部の振れ止め装置を提供することを目的とする。
【課題を解決するための手段】
【０００６】
前記目的を達成するために、請求項１に係る本発明は、垂直搬送部を備えたコンベヤ装置の外部に設置された支持台の水平フレームに、コンベヤケース垂直部を抱持して水平方向振れを防止する振れ止め枠が取り付けられたコンベヤケース垂直部の振れ止め装置において、前記振れ止め枠は、フレーム部材が枠組みされた一側部が開口した剛構造のコ字状枠体と、該コ字状枠体の開口側に取付用ボルトで固定される締め付け用のフレーム部材とで方形状に形成され、前記支持台を構成する一対の水平フレームには、前記コ字状枠体の対向するそれぞれのフレーム部材が固定され、前記コ字状枠体の内側にある前記コンベヤケース垂直部は、前記締め付け用のフレーム部材が取付用ボルトで該コ字状枠体に締め付け固定されることにより前記振れ止め枠で抱持されているコンベヤケース垂直部の振れ止め装置、としたものである。
【０００７】
請求項２に係る本発明は、前記請求項１に係る本発明のコンベヤケース垂直部の振れ止め装置において、前記支持台を構成する一対の水平フレームには、ねじ穴を有するタップベースがそれぞれ溶接され、該タップベースに前記剛構造のコ字状枠体の対向するそれぞれのフレーム部材が該ねじ穴を介してボルトで固着されている、としたものである。
【０００８】
請求項３に係る本発明は、前記請求項１又は２に係る本発明のコンベヤケース垂直部の振れ止め装置において、前記剛構造のコ字状枠体を構成する各フレーム部材及び締め付け用のフレーム部材はチャンネル鋼である、としたものである。
【０００９】
請求項４に係る本発明は、前記請求項１乃至３に係る本発明のコンベヤケース垂直部の振れ止め装置において、前記剛構造のコ字状枠体の対向するそれぞれのフレーム部材に、前記コンベヤケース垂直部のフランジに嵌着する凹溝を有する保持プレートが固着されている、としたものである。
【発明の効果】
【００１０】
請求項１に係る本発明のコンベヤケース垂直部の振れ止め装置によれば、前記振れ止め枠は、フレーム部材が枠組みされた一側部が開口した剛構造のコ字状枠体と、該コ字状枠体の開口側に取付用ボルトで固定される締め付け用のフレーム部材とで方形状に形成されているので、屋外や上方に床面がない屋内にコンベヤケース垂直部を有するコンベヤ装置を設置する場合、振れ止め枠が剛構造のコ字状枠体と締め付け用のフレーム部材とで組立分解が可能であるため、振れ止め枠をコンベヤケース垂直部の適宜位置に既に塗装された部分に損傷を与えることなく容易に装着をすることができ、その結果、コンベヤケース垂直部の補修塗装の必要がなくなり振れ止め装置設置までの工期短縮を図ることができる。
【００１１】
また、前記支持台を構成する一対の水平フレームには、前記コ字状枠体の対向するそれぞれのフレーム部材が固定され、前記コ字状枠体の内側にある前記コンベヤケース垂直部は、前記締め付け用のフレーム部材が取付用ボルトで該コ字状枠体に締め付け固定されることにより前記振れ止め枠で抱持されているので、振れ止め枠をコンベヤケース垂直部の任意の位置で強固に固定することができる。
【００１２】
請求項２に係る本発明のコンベヤケース垂直部の振れ止め装置によれば、前記支持台を構成する一対の水平フレームには、ねじ穴を有するタップベースがそれぞれ溶接され、該タップベースに前記剛構造のコ字状枠体の対向するそれぞれのフレーム部材が該ねじ穴を介してボルトで固着されているので、振れ止め枠の取付位置に応じて位置決めしてタップベースを設置現場で溶接固定することが可能となり、その結果、振れ止め枠を最適位置に取り付けることができ、この場合、タップベースの板厚を充分に取ることで溶接歪みを押さえて取り付けができる。
【００１３】
請求項３に係る本発明のコンベヤケース垂直部の振れ止め装置によれば、前記剛構造のコ字状枠体を構成する各フレーム部材及び締め付け用のフレーム部材はチャンネル鋼であるので、振れ止め枠の強度向上を図ることができる。
【００１４】
請求項４に係る本発明のコンベヤケース垂直部の振れ止め装置によれば、前記剛構造のコ字状枠体の対向するそれぞれのフレーム部材に、前記コンベヤケース垂直部のフランジに嵌着する凹溝を有する保持プレートが固着されているので、コンベヤケース垂直部の振れ止めをより確実に行うことができる。
【発明を実施するための最良の形態】
【００１５】
本発明の好適な実施形態である実施例を図１〜図７に基づいて説明する。図１はコンベヤケース垂直部の振れ止め装置を備えたコンベヤ装置の正面図、図２は図１におけるＸ２−Ｘ２矢視方向に見たコンベヤケース垂直部の振れ止め装置の平面図、図３は振れ止め枠の側面図、図４は締め付け用のフレーム部材の正面図、図５は図２におけるＸ５−Ｘ５矢視方向に見た断面図、図６は保持プレートの平面図、図７（Ａ）はタップベースの平面図、（Ｂ）はタップベースの断面図である。
【００１６】
コンベヤ装置１は、図１に示すように、コンベヤケース２の内部にコンベヤ（詳細図図示略）、例えばフライトコンベヤを備え、投入された搬送物をコンベヤケース２の底面に沿って搬送する下部水平搬送部３、コンベヤケース垂直部４を有する垂直搬送部５、上部水平搬送部６等からなる。なお、図１において、符号７は搬送物投入口、８は搬送物排出口である。
【００１７】
コンベヤ装置１の外部には、支柱９と水平フレーム１０とからなる支持台１１が設置され、この支持台１１にコンベヤケース垂直部４の水平方向振れを防止する振れ止め枠１３が取り付けられることにより、コンベヤケース垂直部４の振れ止め装置１２が構成される。
【００１８】
振れ止め枠１３は、図２あるいは図３に示すように、チャンネル鋼からなる３本のフレーム部材１４ａ、１４ｂ、１４ｃで枠組みされてなる一側部が開口した剛構造のコ字状枠体１５と、剛構造のコ字状枠体１５の開口側に取付用ボルト１６で固定される締め付け用のフレーム部材１４ｄとで方形状に形成されたものである。前記剛構造のコ字状枠体１５は、フレーム部材１４ｂの両端にフレーム部材１４ａ、１４ｃの一方端が溶接されて剛構造となっている。また、図３に示すように、フレーム部材１４ａ、１４ｃの他方端内部には、チャンネル鋼からなる締め付け用のフレーム部材１４ｄが取付ボルト１６で締め付け固定される端部プレート１７が溶接されている。
【００１９】
振れ止め枠１３は支持台１１に以下のように取り付けられている。すなわち、支持台１１を構成する一対の水平フレーム１０，１０には、ねじ穴１８ａを有するタップベース１８（図７参照。）が、剛構造のコ字状枠体１５の内側にあるコンベヤケース垂直部４と見合った位置に溶接により固定されている。
【００２０】
振れ止め枠１３を構成する剛構造のコ字状枠体１５の対向するそれぞれのフレーム部材１４ａ、１４ｃは、水平フレーム１０，１０に固定されたタップベース１８にねじ穴１８ａを介してボルト１９で固着されている。この場合、コ字状枠体１５をタップベース１８に固着する代わりに、水平フレーム１０，１０に直接ボルトなどで固着しても構わない。
【００２１】
上記のように、水平フレーム１０，１０に固定された剛構造のコ字状枠体１５の内側にあるコンベヤケース垂直部４は、コ字状枠体１５の開口側のフレーム部材１４ａ，１４ｃ先端に固定されている端部プレート１７との間に隙間ｄをあけて締め付け用のフレーム部材１４ｄを装着した後、取付用ボルト１６で締め付け固定されることにより、振れ止め枠１３で抱持されている。すなわち、コンベヤケース垂直部４は、取付用ボルト１６の締め付け力により、剛構造のコ字状枠体１５のフレーム部材１４ｂと締め付け用のフレーム部材１４ｄとで挟持されて振れ止め枠１３で抱持される。
【００２２】
この場合、図２、図３に示すように、コ字状枠体１５の対向するそれぞれのフレーム部材１４ａ、１４ｃに、コンベヤケース垂直部４のフランジ４ａに凹溝２０ａを嵌着させて保持プレート２０を固着することが好ましい。このように保持プレート２０を固着すると、コンベヤケース垂直部４が確実に振れ止めできるようになる。
【００２３】
上記した構成からなるコンベヤケース垂直部の振れ止め装置１２の作用効果は以下のとおりである。振れ止め枠１３が剛構造のコ字状枠体１５と締め付け用のフレーム部材１４ｄとで組立分解が可能であるため、振れ止め枠１３をコンベヤケース垂直部４の適宜位置に既に塗装された部分に損傷を与えることなく容易に装着をすることができ、その結果、コンベヤケース垂直部４の補修塗装の必要がなくなり振れ止め装置１２の設置、ひいてはコンベヤ装置１の設置までの工期短縮を図ることができる。
【００２４】
また、支持台１１を構成する一対の水平フレーム１０，１０には、剛構造のコ字状枠体１５の対向するそれぞれのフレーム部材１４ａ、１４ｃが固定され、コ字状枠体１５の内側にあるコンベヤケース垂直部４は、締め付け用のフレーム部材１４ｄが取付用ボルト１６でコ字状枠体１５に締め付け固定されることにより振れ止め枠１３で抱持されているので、振れ止め枠１３をコンベヤケース垂直部４の任意の位置で強固に固定することができる。
【００２５】
支持台１１を構成する一対の水平フレーム１０，１０には、ねじ穴１８ａを有するタップベース１８がそれぞれ溶接され、タップベース１８にコ字状枠体１５の対向するそれぞれのフレーム部材１４ａ，１４ｃがねじ穴１８ａを介してボルト１９で固着されているので、振れ止め枠１３の取付位置に応じて位置決めしてタップベース１８を設置現場で溶接固定することが可能となり、その結果、振れ止め枠１３を最適位置に取り付けることができ、この場合、タップベース１８の板厚を充分に取ることで溶接歪みを押さえて取り付けができる。
【００２６】
剛構造のコ字状枠体を構成する各フレーム部材１４ａ，１４ｂ，１４ｃ及び締め付け用のフレーム部材１４ｄはチャンネル鋼であるので、振れ止め枠１３の強度向上を図ることができる。
【００２７】
剛構造のコ字状枠体１５の対向するそれぞれのフレーム部材１４ａ，１４ｃに、コンベヤケース垂直部４のフランジ４ａに嵌着する凹溝２０ａを有する保持プレート２０が固着されているので、コンベヤケース垂直部４の振れ止めをより確実に行うことができる。
【図面の簡単な説明】
【００２８】
【図１】本発明実施例におけるコンベヤケース垂直部の振れ止め装置を備えたコンベヤ装置の正面図である。
【図２】図１におけるＸ２−Ｘ２矢視方向に見たコンベヤケース垂直部の振れ止め装置の平面図である。
【図３】振れ止め枠の側面図である。
【図４】締め付け用のフレーム部材の正面図である。
【図５】図２におけるＸ５−Ｘ５矢視方向に見た断面図である。
【図６】保持プレートの平面図である。
【図７】（Ａ）はタップベースの平面図、（Ｂ）はタップベースの断面図である。
【符号の説明】
【００２９】
１      コンベヤ装置                  ２      コンベヤケース
３      下部水平搬送部                ４      コンベヤケース垂直部
４ａ    フランジ                      ５      垂直搬送部
６      上部水平搬送部                ７      搬送物投入口
８      搬送物排出口                  ９      支柱
１０    水平フレーム                  １１    支持台
１２    振れ止め装置                  １３    振れ止め枠
１４ａ、１４ｂ、１４ｃ  フレーム部材
１４ｄ  締め付け用のフレーム部材
１５    剛構造のコ字状枠体            １６    取付用ボルト
１７    端部プレート                  １８ａ  ねじ穴
１８    タップベース                  １９    ボルト
２０    保持プレート                  ２０ａ  凹溝
【図１】
2009137667.tif 000003
【図２】
2009137667.tif 000004
【図３】
2009137667.tif 000005
【図４】
2009137667.tif 000006
【図５】
2009137667.tif 000007
【図６】
2009137667.tif 000008
【図７】
2009137667.tif 000009